(57)【特許請求の範囲】
【請求項１】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の外部端子は、２回回転対称性を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、検体液中の被検出物を検出する検出信号を発生させる検出部を有し、
前記複数の外部端子は、前記第１配置では、前記検出部に電気信号を供給し、前記第２配置では、前記検出部で発生した検出信号を出力する第１外部端子と、前記第１配置では、前記検出部で発生した検出信号を出力し、前記第２配置では、前記検出部に電気信号を供給する第２外部端子と、を有する、センサ装置。
【請求項２】
前記複数の接続端子は、前記第１配置において、前記第１外部端子に電気的に接続する第１接続端子と、前記第２外部端子に電気的に接続する第２接続端子とを含む、請求項１記載のセンサ装置。
【請求項３】
前記測定部は、前記複数の接続端子と電気的に接続されており電気信号の入出力を行なう制御部をさらに有し、
前記センサ素子は、前記検出信号に対する参照信号を発生させる参照部をさらに有し、
前記制御部は、前記センサから出力され、前記第２接続端子に入力された電気信号が参照信号であるか、または検出信号であるかを判断する、請求項１または２記載のセンサ装置。
【請求項４】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の接続端子は、２回回転対称性を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、検体液中の被検出物を検出する検出信号を発生させる検出部を有し、
前記複数の接続端子は、前記複数の外部端子のうち電気的に接続する外部端子を介して前記検出部に電気信号を供給する第１接続端子と、前記複数の外部端子のうち電気的に接続する外部端子を介して前記検出部で発生した検出信号が入力される第２接続端子と、を有し、
前記測定部は、前記複数の接続端子と電気的に接続されており電気信号の入出力を行なう制御部をさらに有し、
前記センサ素子は、前記検出信号に対する参照信号を発生させる参照部をさらに有し、
前記制御部は、前記第２接続端子に入力された電気信号が、参照信号であるか、または検出信号であるかを判断する、センサ装置。
【請求項５】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の外部端子は、４回回転対称性を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、電気信号が入力されると検体液中の被検出物を検出する検出信号を発生させる検出部と、電気信号が入力されると前記検出信号に対する参照信号を発生させる参照部と、を有し、
前記複数の外部端子は、前記検出部に電気信号を供給する第３外部端子および前記参照部に電気信号を供給する第４外部端子と、前記検出部で発生した検出信号を出力する第５外部端子および前記参照部で発生した参照信号を出力する第６外部端子と、を含む、センサ装置。
【請求項６】
前記複数の接続端子は、前記第１配置において、前記第３外部端子に電気的に接続する第３接続端子と、前記第４外部端子に電気的に接続する第４接続端子と、前記第５外部端子に電気的に接続する第５接続端子と、前記第６外部端子に電気的に接続する第６接続端子と、を含む、請求項５記載のセンサ装置。
【請求項７】
前記測定部は、前記複数の接続端子と電気的に接続されており電気信号の入出力を行なう制御部をさらに有し、
前記制御部は、前記第５接続端子および前記第６接続端子に入力された電気信号のいずれが、参照信号であるか、または検出信号であるかを判断する、請求項６記載のセンサ装置。
【請求項８】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の接続端子は、４回回転対称性を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、電気信号が入力されると検体液中の被検出物を検出する検出信号を発生させる検出部と、電気信号が入力されると前記検出信号に対する参照信号を発生させる参照部と、を有し、
前記複数の接続端子は、前記複数の外部端子のうち電気的に接続する外部端子を介して前記検出部に電気信号を供給する第３接続端子および前記参照部に電気信号を供給する第４接続端子と、前記複数の外部端子のうち電気的に接続する外部端子を介して前記検出部で発生した検出信号が入力される第５接続端子および前記参照部で発生した参照信号が入力される第６接続端子と、を含む、センサ装置。
【請求項９】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の外部端子および前記複数の接続端子の少なくとも一方はｎ回回転対称性（ｎは、任意の整数）を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、電気信号が入力されると検体液中の被検出物を検出する検出信号を発生させる検出部を有し、
前記複数の外部端子は、前記検出部に電気信号を供給する第７外部端子と、前記検出部で発生した検出信号を出力する第８外部端子と、を含み、
前記第７外部端子および前記第８外部端子は、前記回転中心を中心とする同心円環状に配置されており、
前記複数の接続端子は、前記第１配置において、前記第７外部端子に電気的に接続する第７接続端子と、前記第８外部端子に電気的に接続する第８接続端子とを含み、
前記センサ素子は、前記検出信号に対する参照信号を発生させる参照部をさらに有し、
前記複数の外部端子は、前記参照部に電気信号を供給する第９外部端子と、前記参照部で発生した参照信号を出力する第１０外部端子と、を含み、
前記第９外部端子および前記第１０外部端子は、前記回転中心を中心とする同心円環状に配置されている、センサ装置。
【請求項１０】
センサと、前記センサを着脱可能な測定部とを備えるセンサ装置であって、
前記センサは、
第１面を有するセンサ本体と、
前記センサ本体に位置しているセンサ素子と、
前記第１面に位置し、前記センサ素子と電気的に接続されている複数の外部端子と、を有し、
前記測定部は、
前記第１面に対向して位置する第２面を有する測定部本体と、
前記第２面に位置している複数の接続端子と、を有し、
前記複数の外部端子および前記複数の接続端子の少なくとも一方はｎ回回転対称性（ｎは、任意の整数）を有するように位置しており、
前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能であって、
前記センサ素子は、電気信号が入力されると検体液中の被検出物を検出する検出信号を発生させる検出部を有し、
前記複数の接続端子は、前記複数の外部端子のうち電気的に接続する外部端子を介して前記検出部に電気信号を供給する第７接続端子と、前記複数の外部端子のうち電気的に接続する外部端子を介して前記検出部で発生した検出信号が入力される第８接続端子と、を含み、
前記第７接続端子および前記第８接続端子は、前記回転中心を中心とする同心円環状に配置されており、
前記センサ素子は、前記検出信号に対する参照信号を発生させる参照部をさらに有し、
前記複数の接続端子は、前記複数の外部端子のうち電気的に接続する外部端子を介して前記参照部に電気信号を供給する第９接続端子と、前記複数の外部端子のうち電気的に接続する外部端子を介して前記参照部で発生した参照信号が入力される第１０接続端子と、を含み、
前記第９接続端子および前記第１０接続端子は、前記回転中心を中心とする同心円環状に配置されている、センサ装置。
【請求項１１】
センサと、前記センサを着脱可能な測定部とを有するセンサ装置によって実行される検出方法であって、
前記センサの第１面を、前記測定部の、前記第１面を支持する第２面に装着する第１工程と、
前記第２面に位置する接続端子と、前記接続端子に電気的に接続する、前記第１面に位置する外部端子との、少なくとも一方が回転対称性を有するように位置しており、前記接続端子と前記外部端子とが電気的に接続された状態で、前記センサ素子に電気信号を供給する第２工程と、
供給された前記電気信号に応じて前記センサ素子で発生した検出信号が、前記第１面に配設された外部端子を介して、前記外部端子に電気的に接続する、前記第２面に配設された接続端子に入力される第３工程と、
入力された検出信号に基づいて検出結果を出力する第４工程と、を備え、
前記第２工程、前記第３工程および前記第４工程をそれぞれ継続して実行する間に、前記センサのセンサ素子に検体液を供給し、
前記第３工程では、供給された前記電気信号に応じて前記センサ素子で発生した参照信号が、さらに前記接続端子に入力され、
前記第３工程と前記第４工程との間に、前記接続端子に入力された電気信号のうち、いずれが検出信号であるか、または参照信号であるかを判断する工程をさらに備え、
前記第４工程では、いずれが検出信号であるか、または参照信号であるかの判断結果に基づいて、検出結果を出力する、検出方法。
【発明の詳細な説明】
【技術分野】
【０００１】
本発明は、液状の検体の性質あるいは検体に含まれる成分を測定することができるセンサ装置およびそれを用いた検出方法に関する。
【背景技術】
【０００２】
カートリッジに液状の検体を供給し、液状の検体の性質もしくは検体に含まれる成分を測定するセンサ装置が知られている。【０００３】
特許文献１記載の装置は、微小流体カートリッジに対して相補的な位置合わせ部材を備えており、これによって、微小流体カートリッジを１つの向きで収容する。
【先行技術文献】
【特許文献】
【０００４】
【特許文献１】特許第５４１５２５３号公報
【発明の概要】
【０００５】
本発明の一実施形態であるセンサ装置は、センサと、前記センサを着脱可能な測定部とを備える。前記センサは、第１面を有するセンサ本体と、前記センサ本体に位置しているセンサ素子と、前記第１面に位置し、前記センサ素子と電気的に接続されている複数の外部端子と、を有する。前記測定部は、前記第１面に対向して位置する第２面を有する測定部本体と、前記第２面に位置している複数の接続端子と、を有する。前記複数の外部端子および前記複数の接続端子の少なくとも一方は回転対称性を有するように位置している。前記センサを前記測定部に対して所定の向きに配置した第１配置、および前記センサを前記第１配置から、前記回転対称性の回転中心を基準に回転させた第２配置のいずれにおいても、前記複数の外部端子の少なくとも１つと前記複数の接続端子の少なくとも１つとが電気的に接続可能である。
【０００６】
また、本発明の一実施形態である検出方法は、センサと、前記センサを着脱可能な測定部とを有するセンサ装置によって実行される。第１工程では、前記センサの第１面を、前記測定部の、前記第１面を支持する第２面に装着する。第２工程では、前記第２面に位置する接続端子と、前記接続端子に電気的に接続する、前記第１面に位置する外部端子との、少なくとも一方が回転対称性を有するように位置しており、前記接続端子と前記外部端子とが電気的に接続された状態で、前記センサ素子に電気信号を供給する。第３工程では、供給された前記電気信号に応じて前記センサ素子で発生した検出信号が、前記第１面に配設された外部端子を介して、前記外部端子に電気的に接続する、前記第２面に配設された接続端子に入力される。第４工程では、入力された検出信号に基づいて検出結果を出力する。前記第２工程、前記第３工程および前記第４工程をそれぞれ継続して実行する間に、前記センサのセンサ素子に検体液を供給する。
【図面の簡単な説明】
【０００７】
【図１】本発明の第１実施形態に係るセンサ装置１の構成を示す概略図である。
【図２Ａ】検体液センサ２の外観を示す平面図である。
【図２Ｂ】検体液センサ２の外観を示す底面図である。
【図３】図２Ａの切断面線Ａ−Ａにおける検体液センサ２の断面図である。
【図４】センサ素子２１の平面図である。
【図５】第１配置におけるセンサ装置１の概略ブロック図を示す。
【図６】第２配置におけるセンサ装置１の概略ブロック図を示す。
【図７】センサ素子２１Ａの平面図である。
【図８Ａ】検体液センサ２の変形例の外観を示す平面図である。
【図８Ｂ】検体液センサ２の変形例の外観を示す底面図である。
【図９Ａ】リーダ３の変形例の外観を示す平面図である。
【図９Ｂ】リーダ３の変形例の外観を示す底面図である。
【図１０】検体液センサ２の他の変形例を示す外観図である。
【図１１Ａ】検体液センサ５の外観を示す平面図である。
【図１１Ｂ】検体液センサ５の外観を示す底面図である。
【図１２】第１配置における本発明の第２実施形態に係るセンサ装置４の概略ブロック図を示す。
【図１３】第２配置におけるセンサ装置４の概略ブロック図を示す。
【図１４Ａ】検体液センサ５の変形例の外観を示す平面図である。
【図１４Ｂ】検体液センサ５の変形例の外観を示す底面図である。
【図１５Ａ】検体液センサ５の外観を示す平面図である。
【図１５Ｂ】検体液センサ５の外観を示す底面図である。
【図１６】リーダ６の変形例を示す概略図である。
【図１７】本発明の第３実施形態に係るセンサ装置８の構成を示す概略図である。
【図１８Ａ】検体液センサ９の外観を示す平面図である。
【図１８Ｂ】検体液センサ９の外観を示す底面図である。
【図１９】本発明の第３実施形態に係るセンサ装置８の概略ブロック図を示す。
【図２０】第３実施形態の変形例のセンサ装置８Ａの概略ブロック図を示す。
【図２１】第３実施形態の変形例のセンサ装置８Ｂの概略ブロック図を示す。
【図２２】第３実施形態の変形例のセンサ装置８Ｃの概略ブロック図を示す。
【図２３Ａ】本発明の第４実施形態に係るセンサ装置１Ａの概略ブロック図（第１配置）を示す。
【図２３Ｂ】本発明の第４実施形態に係るセンサ装置１Ａの概略ブロック図（第２配置）を示す。
【図２４】本発明の第５実施形態に係る検出方法を示す工程図である。
【図２５】第１実施形態の変形例の検体液センサ２Ｄの概略ブロック図を示す。
【発明を実施するための形態】
【０００８】
以下、本発明に係るセンサ装置の実施形態について、図面を参照しつつ詳細に説明する。なお、以下に説明する各図面において同じ構成部材には同じ符号を付すものとする。また、各部材の大きさや部材同士の間の距離などは模式的に図示しており、現実のものとは縮尺などが異なる場合がある。なお、以下において、センサとして、液体状の検体を用いてセンシングする検体液センサを例にとって説明を行ない、測定部として、各構成要素を有する装置であるリーダを例にとって説明を行なう。
【０００９】
（第１実施形態）
図１は、本発明の第１実施形態に係るセンサ装置１の構成を示す概略図である。図２Ａ、図２Ｂは、検体液センサ２の構成を示す外観図である。図２Ａは、平面図であり、図２Ｂは、底面図である。センサ装置１は、センサである検体液センサ２と、検体液センサ２を着脱可能な測定部であるリーダ３とを備える。検体液センサ２は、検体液を少なくとも吸引または収容し、リーダ３から供給される電気信号をその検体液の性質または成分に応じて変化させ、変化後の電気信号をリーダ３に出力する。リーダ３は、検体液センサ２に電気信号を供給するとともに、検体液センサ２から出力される電気信号を受け取る。検体液センサ２は、例えば、使い捨てのカートリッジであり、一度使用した後は別の新しい検体液センサ２をリーダ３に装着して検体液のセンシングを行う。
【００１０】
検体液センサ２は、第１面２０ａを有するセンサ本体２０と、センサ本体２０に位置しているセンサ素子２１と、センサ本体２０の第１面２０ａに位置する複数の外部端子２２とを有する。外部端子２２は、センサ素子２１と電気的に接続されている。リーダ３は、検体液センサ２の第１面２０ａに対向して位置する第２面３０ａを有するリーダ本体３０と、第２面３０ａのうち、複数の外部端子２２のそれぞれに対応する部位に位置している複数の接続端子３１と、複数の接続端子３１と電気的に接続されており電気信号の入出力を行なう制御部３２と、を有する。
【００１１】
本実施形態において、センサ本体２０は、板状に構成されている。センサ本体２０の厚み方向に直交する平行平面の一方を第１面２０ａとし、他方を第３面２０ｂとする。第１面２０ａには、外部端子２２が位置しており、第３面２０ｂには、検体液の流入口２０ｃおよび検体液を排出する排出口２０ｄが設けられている。検体液が流入口２０ｃからセンサ本体２０に供給されると、センサ本体２０内に位置するセンサ素子２１で検出が行われ、検出が終わった検体液が、排出口２０ｄから排出される。なお、検出が終わった検体液を検体液センサ２内に留めておいて、検体液センサ２とともに廃棄するようにしてもよい。その場合は、流入口２０ｃが設けられていればよく、排出口２０ｄは不要である。また、検体液を流入口２０ｃから供給したときにセンサ本体２０内の空気を排気する排気口を、排気孔２０ｄの代わりに設けてもよい。
【００１２】
図３は、図２Ａの切断面線Ａ−Ａにおける検体液センサ２の断面図である。センサ素子２１には、例えば、被検出物と反応する反応物質が固定化された金属膜７ａが設けられる。反応物質は、検出対象の被検出物に応じて適宜選択すればよく、例えば検体液中の特定の細胞または生体組織などを被検出物とするときは、抗体ならびに核酸およびペプチドからなるアプタマーを用いることができる。本実施形態において、反応物質と被検出物との反応は、例えば、化学反応または抗原抗体反応など反応物質と被検出物とが結合するものであってもよい。また、これらの反応に限らず、被検出物と反応物質との相互作用によって被検出物が反応物質と結合したり、被検出物が反応物質に吸着したりするようなものであってもよい。金属膜７ａに検体が接触したときに、反応物質が存在することで被検出物の種類や含有量に応じて、後述するＩＤＴ（Inter Digital Transducer）電極などの信号発信電極から伝搬する信号の特性を変化させる。特性変化後の信号である検出信号が、ＩＤＴ電極などの信号受信電極によって受信され、特性の変化に応じて検体に含まれる、被検出物の増加分の質量などを検出することができる。信号の特性については、金属膜７ａにおける質量変化に応じて変化するものであれば特に限定されない。例えば、信号が弾性波によるものであれば、変化する信号の特性として、位相を用いることができる。
【００１３】
また、金属膜７ｂは、金属膜７ａに対する参照用の金属膜で、アプタマーなどの被検出物と結合、反応するものが固定化されていない。さらに、金属膜７ｂは、検体液に対して結合性、反応性を弱めて安定化させるような表面処理を行なってもよい。金属膜７ｂに対してもＩＤＴ電極などの信号発信電極および信号受信電極が設けられており、信号発信電極から伝搬する信号が金属膜７ｂを通過し、通過後の信号である参照信号が信号受信電極で受信される。センサ本体２０内には、流入口２０ｃから流入した検体液が金属膜７ａおよび金属膜７ｂと接触するように、流入口２０ｃから排出口２０ｄにわたる流路８０が形成されている。
【００１４】
図４は、センサ素子２１の平面図である。センサ素子２１は、金属膜７ａに向かって伝搬する弾性波を発生させる第１ＩＤＴ電極１１、および金属膜７ａを通過した弾性波を受信する第２ＩＤＴ電極１２、を有する検出部と、金属膜７ｂに向かって伝搬する弾性波を発生させる第１ＩＤＴ電極１３、および金属膜７ｂを通過した弾性波を受信する第２ＩＤＴ電極１４を有する参照部と、を含む。第１ＩＤＴ電極１１および第１ＩＤＴ電極１３はそれぞれ、１対の第１引き出し電極１５に接続され、第２ＩＤＴ電極１２および第２ＩＤＴ電極１４はそれぞれ、１対の第２引き出し電極１６に接続される。１対の第１引き出し電極１５のうちの一方および１対の第２引き出し電極１６のうちの一方は、リーダ３の複数の接続端子３１にそれぞれ接続されている。そして、１対の第１引き出し電極１５の他方および１対の第２引き出し電極１６の他方はそれぞれ、後述する第１配置および第２配置のいずれにおいても、リーダ３のグランド（接地）電極に接続されるように位置している。
【００１５】
検体液センサ２の第１面２０ａには、リーダ３が有する複数の接続端子３１と電気的に接続する複数の外部端子２２が設けられている。本実施形態では、複数の外部端子２２は、第１面２０ａにおいて、回転対称性を有するように設けられている。本実施形態では、検体液センサ２が、複数の外部端子として４つの外部端子を有する構成を例として説明するが、外部端子２２の個数は、特定の数に限定されず、センサ素子２１の入出力数などに応じて適宜決定すればよい。
【００１６】
図２Ａ、図２Ｂに示す検体液センサ２の一例では、第１面２０ａおよび第３面２０ｂが同じ矩形状（長方形状）である。４つの外部端子２２ａ、２２ｂ、２２ｃ、２２ｄが第１面２０ａの四隅に位置しており、各外部端子２２は、正方形状である。なお、外部端子２２の形状は、同じ形状である必要はなく、互いに異なる形状であってもよい。このような４つの外部端子２２ａ、２２ｂ、２２ｃ、２２ｄは、２回回転対称性を有している。本例の検体液センサ２では、４つの外部端子２２ａ、２２ｂ、２２ｃ、２２ｄの各中心を４つの頂点とする矩形の重心が、回転対称性の回転中心ｃ１である。４つの外部端子２２ａ、２２ｂ、２２ｃ、２２ｄは、２回回転対称性を有しているので、この回転中心ｃ１を基準に１８０°回転させたときに各端子の配置位置が同じとなる。
【００１７】
ここで、本実施形態のリーダ３は、検体液センサ２の第１面２０ａに対向する第２面３０ａが、第１面２０ａと同じ矩形状であり、リーダ本体３０表面に設けられた凹所の底面を構成している。凹所の内周面３０ｂは、底面である第２面３０ａの外周に沿って、第２面３０ａからほぼ垂直に立ちあがり、凹所の開口が、第２面３０ａと同じ矩形状となっている。また、第２面３０ａには、検体液センサ２の各外部端子２２に対応し、外部端子２２と電気的に接続する複数の接続端子３１が設けられている。本実施形態では、複数の接続端子３１は、４つの外部端子２２ａ、２２ｂ、２２ｃ、２２ｄにそれぞれ接続するように４つの接続端子であって、これら４つの接続端子が、４つの外部端子２２ａ、２２ｂ、２２ｃ、２２ｄと同じ２回回転対称性を有するように位置している。
【００１８】
測定を行う際には、検体液センサ２を、リーダ３に装着する。本実施形態における装着は、検体液センサ２の外部端子２２とリーダ３の接続端子とが、電気的に接続されることを意味している。例えば、検体液センサ２が、リーダ３の表面に載置された状態であってもよい。本例の検体液センサ２は、外部端子２２が上記のように２回回転対称性を有するように設けられている。検体液センサ２の外部端子２２とリーダ３の接続端子とが、電気的に接続されるように載置したときの配置（第１配置）だけではなく、検体液センサ２を、回転中心ｃ１を基準に１８０°回転させたときの配置（第２配置）においても、検体液センサ２の外部端子２２とリーダ３の接続端子とが、電気的に接続されるようになっている。
【００１９】
測定の際に、ユーザが、検体液センサ２をリーダ３に装着させようとしたとき、ユーザは、第１配置であっても第２配置であっても測定を行うことができる。したがって、検体液センサ２の配置を、ただ１つの正しい向きとなるように配置しないと測定できないというような操作の煩わしさが低減されるので、ユーザは、検体液センサ２の向きを気にせず簡単な操作で測定を行うことができる。
【００２０】
さらに、本実施形態では、外形状が矩形板状の検体液センサ２の第１面２０ａをリーダ３の第２面３０ａに載置しようとすると、検体液センサ２は、外形状が矩形状の開口に案内されて、第１面２０ａと第２面３０ａとが対向し、これらが平面視で重なるように載置される。これにより、第１面２０ａの４つの外部端子２２ａ、２２ｂ、２２ｃ、２２ｄと、第２面３０ａの４つの接続端子とは、それぞれが当接し、確実に電気的な接続を行うことができる。リーダ３本体に凹所、すなわち検体液センサ２を案内する案内部が設けられていることにより、ユーザは、検体液センサ２の向きだけでなく端子の位置も気にせず、さらに簡単な操作で測定を行うことができる。
【００２１】
図５は、第１配置におけるセンサ装置１の概略ブロック図を示し、図６は、第２配置におけるセンサ装置１の概略ブロック図を示す。上記のように、第１配置と第２配置とは、検体液センサ２がリーダ３に装着される向きが１８０°異なっている。したがって、第１配置において、リーダ３の接続端子３１に電気的に接続する検体液センサ２の外部端子と、第２配置において、リーダ３の接続端子３１に電気的に接続する検体液センサ２の外部端子とは異なっている。
【００２２】
例えば、図５に示す第１配置においては、外部端子と接続端子とは、それぞれ以下のように接続する。検体液センサ２の第１外部端子２２ａと、リーダ３の第１接続端子３１ａとが電気的に接続する。検体液センサ２の第２外部端子２２ｂと、リーダ３の第２接続端子３１ｂとが電気的に接続する。検体液センサ２の第３外部端子２２ｃと、リーダ３の第３接続端子３１ｃとが電気的に接続する。検体液センサ２の第４外部端子２２ｄと、リーダ３の第４接続端子３１ｄとが電気的に接続する。
【００２３】
ここで、検体液センサ２の第１外部端子２２ａおよび第２外部端子２２ｂは、センサ素子２１において、検体液中の被検出物を検出する検出信号を発生させる検出部２１ａに電気的に接続されている。また、検体液センサ２の第３外部端子２２ｃおよび第４外部端子２２ｄは、センサ素子２１において、検出信号に対する参照信号を発生させる参照部２１ｂに電気的に接続されている。第１外部端子２２ａ、第２外部端子２２ｂ、第３外部端子２２ｃおよび第４外部端子２２ｄは、いずれも電気信号が入力する入力端子および電気信号が出力される出力端子の両方の機能を有している。第１外部端子２２ａと、第３外部端子２２ｃとは、第１配置では、いずれもリーダ３から電気信号が入力され、第２配置では、いずれもリーダ３に電気信号を出力する第１外部端子群２２０を構成する。第２外部端子２２ｂと、第４外部端子２２ｄとは、第１配置では、いずれもリーダ３に電気信号を出力し、第２配置では、いずれもリーダ３から電気信号が入力される第２外部端子群２２１を構成する。
【００２４】
リーダ３において、制御部３２は、第１接続端子群３１０である第１接続端子３１ａおよび第３接続端子３１ｃに電気信号を入力して検体液センサ２に電気信号を供給する。また、制御部３２は、検体液センサ２から出力される電気信号（検出信号および参照信号を含む）を、第２接続端子群３１１である第２接続端子３１ｂおよび第４接続端子３１ｄによって受信する。
【００２５】
図５に示す第１配置においては、リーダ３の第１接続端子３１ａと検体液センサ２の第１外部端子２２ａとが電気的に接続することで、リーダ３から検体液センサ２の検出部２１ａに電気信号が供給される。リーダ３の第２接続端子３１ｂと検体液センサ２の第２外部端子２２ｂとが電気的に接続することで、検出部２１ａで発生した検出信号がリーダ３で受信される。また、リーダ３の第３接続端子３１ｃと検体液センサ２の第３外部端子２２ｃとが電気的に接続することで、リーダ３から検体液センサ２の参照部２１ｂに電気信号が供給される。リーダ３の第４接続端子３１ｄと検体液センサ２の第４外部端子２２ｄとが電気的に接続することで、参照部２１ｂで発生した参照信号がリーダ３で受信される。リーダ３では、受信した検出信号および参照信号に基づいて被検出物の検出結果を出力する。
【００２６】
図６に示す第２配置においては、外部端子と接続端子とは、それぞれ以下のように接続する。検体液センサ２の第１外部端子２２ａと、リーダ３の第４接続端子３１ｄとが電気的に接続する。検体液センサ２の第２外部端子２２ｂと、リーダ３の第３接続端子３１ｃとが電気的に接続する。検体液センサ２の第３外部端子２２ｃと、リーダ３の第２接続端子３１ｂとが電気的に接続する。検体液センサ２の第４外部端子２２ｄと、リーダ３の第１接続端子３１ａとが電気的に接続する。
【００２７】
図６に示す第２配置においては、リーダ３の第１接続端子３１ａと検体液センサ２の第４外部端子２２ｄとが電気的に接続することで、リーダ３から検体液センサ２の参照部２１ｂに電気信号が供給される。リーダ３の第２接続端子３１ｂと検体液センサ２の第３外部端子２２ｃとが電気的に接続することで、参照部２１ｂで発生した参照信号がリーダ３で受信される。また、リーダ３の第３接続端子３１ｃと検体液センサ２の第２外部端子２２ｂとが電気的に接続することで、リーダ３から検体液センサ２の検出部２１ａに電気信号が供給される。リーダ３の第４接続端子３１ｄと検体液センサ２の第１外部端子２２ａとが電気的に接続することで、検出部２１ａで発生した検出信号がリーダ３で受信される。リーダ３では、受信した検出信号および参照信号に基づいて制御部３２が、被検出物の検出結果を出力する。
【００２８】
第１配置では、検出信号を第２接続端子３１ｂで受信し、参照信号を第４接続端子３１ｄで受信しているのに対して、第２配置では、検出信号を第４接続端子３１ｄで受信し、参照信号を第２接続端子３１ｂで受信している。制御部３２は、検出結果を出力するに際して、第２接続端子３１ｂで受信した信号が検出信号であるか参照信号であるか、第４接続端子３１ｄで受信した信号が検出信号であるか参照信号であるか、を予め判断する。例えば、本実施形態では、第２接続端子３１ｂで受信した信号および第４接続端子３１ｄで受信した信号のうち、いずれの信号が参照信号であるかを判断する。参照信号を判断できれば、他方の信号が検出信号であると判断することができる。
【００２９】
受信した信号が参照信号であるかどうかは、例えば、制御部３２によって次のように判断することができる。参照信号は、検体液に被検出物が含まれているかどうかにかかわらず、経時的に一定の変化傾向（プロファイル）を示すことが多い。一定の変化傾向としては、例えば、信号の受信開始から一定期間にわたって信号値が変化しない傾向、信号の受信開始から一定期間にわたって信号値が単調増加する傾向などである。この参照信号が示す変化傾向は、参照信号であることがわかっている信号、すなわち、参照部２１ｂで発生したことがわかっている信号について、予め信号値の変化などから、一定の変化傾向を記録しておけばよい。
【００３０】
第２接続端子３１ｂで一定期間にわたって受信した信号の変化傾向および第４接続端子３１ｄで一定期間にわたって受信した信号の変化傾向と、予め記録されている一定の変化傾向とを比較し、予め記録されている一定の変化傾向と一致する変化傾向を示した信号が参照信号であると判断する。
【００３１】
受信した信号が参照信号であるかどうかは、例えば、制御部３２によって次のように判断することもできる。上記の例では、受信した変化傾向を取得するまでに時間を要し、また、予め記録されている一定の変化傾向と、受信した信号の変化傾向とが一致しなかった場合に、判断できない可能性もある。そこで、図７に示すセンサ素子２１Ａのように、参照部におけるＩＤＴ電極の配置を変更して参照信号を判断する。図７に示すセンサ素子２１Ａは、図４に示したセンサ素子２１と、金属膜７ｂに向かって伝搬する弾性波を発生させる第１ＩＤＴ電極１３Ａと金属膜７ｂを通過した弾性波を受信する第２ＩＤＴ電極１４Ａとの距離が大きくなっている点で異なっている。上述した図４に示すセンサ素子２１では、検出部において、金属膜７ａに向かって伝搬する弾性波を発生させる第１ＩＤＴ電極１１と金属膜７ａを通過した弾性波を受信する第２ＩＤＴ電極１２との距離は、参照部における第１ＩＤＴ電極１３と第２ＩＤＴ電極１４との距離と同じである。この構成では、仮に金属膜７ａ、７ｂの表面状態が同じであれば（例えば、被検出物と反応する反応物質が固定化されていない）、検体液がセンサ素子２１に供給される前に検出部および参照部に電気信号を供給した場合、第２接続端子３１ｂで受信した信号の位相と、第４接続端子３１ｄで受信した信号の位相とは同位相となる。これに対して、図７に示すセンサ素子２１Ａは、参照部における第１ＩＤＴ電極１３Ａと第２ＩＤＴ電極１４Ａとの距離が、検出部における第１ＩＤＴ電極１１と第２ＩＤＴ電極１２との距離よりも大きい構成である。この構成では、仮に金属膜７ａ、７ｂの表面状態が同じであっても、検体液がセンサ素子２１に供給される前に検出部および参照部に電気信号を供給した場合、第２接続端子３１ｂで受信した信号の位相と、第４接続端子３１ｄで受信した信号の位相とは、異なる位相となる。それゆえ、予め検出部および参照部における電極間の距離が異なるように設定すると、それに応じて検出信号および参照信号の位相の周期がずれるため、第２接続端子３１ｂで受信した信号の位相と、第４接続端子３１ｄで受信した信号の位相とを比較し、参照部を伝播した参照信号を判断することができる。そして、上述のように、金属膜７ａが被検出物と反応する反応物質が固定化されたものであり、金属膜７ｂが被検出物と反応する反応物質が固定化されていない場合には、その表面状態の差異に基づく位相差が加わった状態で信号が検出される。
【００３２】
したがって、検体液センサ２が、リーダ３に装着されたのちであって、測定を行う前に、第２接続端子３１ｂおよび第４接続端子３１ｄで受信した信号の位相が確認できる程度の期間だけリーダ３から検体液センサ２に対して電気信号を供給する。第２接続端子３１ｂで受信した信号の位相と、第４接続端子３１ｄで受信した信号の位相とを比較することで、参照信号を判断する。位相を確認できる程度の期間は、前述の変化傾向を取得するのに要する期間よりも短く、参照信号を確実に判断することができる。
【００３３】
（第１実施形態の変形例）
上記では検体液センサ２について、外部端子が４個であって、２つの外部端子からなる第１外部端子群と他の２つの外部端子からなる第２外部端子群とを備えており、さらに第１外部端子群と第２外部端子群とが、回転中心ｃ１を挟んで対向する位置に設けられている構成を説明したが、本実施形態はこれに限定されない。外部端子の数は、６個であっても、８個であってもよく、それ以上であってもよい。
【００３４】
図８Ａ、図８Ｂは、検体液センサ２の変形例を示す外観図である。図８Ａ、図８Ｂでは、外部端子の配置がわかるように、変形例である検体液センサ２Ａ，２Ｂの第１面２０ａの側の外観のみを図示している。第３面２０ｂについては、図２Ａに示した検体液センサ２と同じであってもよいが、異なっていてもよい。図８Ａに示す検体液センサ２Ａでは、外部端子２２が８個設けられており、前述の４つの外部端子２２ａ、２２ｂ、２２ｃ、２２ｄに加えてさらに４つの外部端子２２ｅ、２２ｆ、２２ｇ、２２ｈが設けられている。これら８個の外部端子２２は、２回回転対称性を有するように配置されている。４つの外部端子２２ｅ、２２ｆ、２２ｇ、２２ｈのうち、外部端子２２ｅと外部端子２２ｇとは、外部端子２２ａおよび外部端子２２ｃと同じ第１外部端子群２２０に含まれ、外部端子２２ｆと外部端子２２ｈとは、外部端子２２ｂおよび外部端子２２ｄと同じ第２外部端子群２２１に含まれる。４つの外部端子２２ｅ、２２ｆ、２２ｇ、２２ｈは、例えば、さらに２つの検出部、さらに２つの参照部、またはさらに１つの検出部と１つの参照部にそれぞれ電気的に接続される。検体液センサ２Ａは、検出部と参照部とをあわせて４つ備えている。また、検体液センサ２と検体液センサ２Ａとは、回転中心ｃ１を通る対称軸に対して外部端子が線対称に設けられている。
【００３５】
図８Ｂに示す検体液センサ２Ｂでは、外部端子２２が６個設けられており、前述の４つの外部端子２２ａ、２２ｂ、２２ｃ、２２ｄに加えてさらに２つの外部端子２２ｉ、２２ｊが設けられている。これら６個の外部端子２２は、２回回転対称性を有するように配置されている。２つの外部端子２２ｉ、２２ｊのうち、外部端子２２ｉは、外部端子２２ａおよび外部端子２２ｃと同じ第１外部端子群２２０に含まれ、外部端子２２ｊは、外部端子２２ｂおよび外部端子２２ｄと同じ第２外部端子群２２１に含まれる。２つの外部端子２２ｉ、２２ｊは、例えば、さらに１つの検出部、またはさらに１つの参照部にそれぞれ電気的に接続される。検体液センサ２Ｂは、検出部と参照部とをあわせて３つ備えている。検体液センサ２、２Ａ、２Ｂのように、外部端子２２が回転対称性を有するように配置されていることで、端子数に関係なくユーザは、第１配置であっても第２配置であっても測定を行うことができる。したがって、操作の煩わしさが低減され、ユーザは、簡単な操作で測定を行うことができる。
【００３６】
図９Ａは、リーダの変形例であるリーダ３Ａを示す概略図である。本変形例では、リーダ３Ａの第２面３０ａに設けられる複数の接続端子３１が、例えば８つであり、そのうち４つの接続端子３１ａ、３１ｃ、３１ｅ、３１ｇが、矩形状の第２面３０ａの一方の短辺に沿って配置され、残り４つの接続端子３１ｂ、３１ｄ、３１ｆ、３１ｈが、他方の短辺に沿って配置されている。これら８つの接続端子３１は、２回回転対称性を有するように位置している。一方の短辺に沿って配置された４つの接続端子３１ａ、３１ｃ、３１ｅ、３１ｇは、全て電気信号を検体液センサ２に供給するための端子であり、他方の短辺に沿って配置された４つの接続端子３１ｂ、３１ｄ、３１ｆ、３１ｈは、全て検体液センサ２から出力される電気信号（検出信号および参照信号を含む）を受信する端子である。
【００３７】
本実施形態では、リーダ３Ａにおいて、一方側に電気信号を出力する接続端子を配置し、他方側に電気信号が入力される接続端子を配置する。このような配置とすることで、電気信号を出力する接続端子と電気信号が入力される接続端子との距離が十分に離隔されて、出力する電気信号と入力される電気信号との間での電磁的な干渉を低減することができる。
【００３８】
図９Ｂは、リーダ３の変形例を示す概略図である。本変形例では、リーダ３Ａの第２面３０ａに設けられる複数の接続端子３１が、例えば８つであり、そのうち４つの接続端子３１ａ、３１ｃ、３１ｅ、３１ｇが、矩形状の第２面３０ａの一方の短辺に沿って配置され、残り４つの接続端子３１ｂ、３１ｄ、３１ｆ、３１ｈが、他方の短辺に沿って配置されている。これら８つの接続端子３１は、２回回転対称性を有するように位置している。一方の短辺に沿って配置された４つの接続端子３１ａ、３１ｃ、３１ｅ、３１ｇのうち、一部が電気信号を検体液センサ２に供給するための端子であり、残りが検体液センサ２から出力される電気信号（検出信号および参照信号を含む）を受信する端子である。同様に、他方の短辺に沿って配置された４つの接続端子３１ｂ、３１ｄ、３１ｆ、３１ｈのうち、一部が電気信号を検体液センサ２に供給するための端子であり、残りが検体液センサ２から出力される電気信号（検出信号および参照信号を含む）を受信する端子である。本変形例では、一方の短辺に沿った４つの接続端子３１ａ、３１ｃ、３１ｅ、３１のうち、両端に位置する接続端子３１ａ、３１ｃが、電気信号を検体液センサ２に供給するための端子であり、中央に位置する２つの接続端子３１ｅ、３１ｇが、検体液センサ２から出力される電気信号（検出信号および参照信号を含む）を受信する端子である。他方の短辺に沿って配置された４つの接続端子３１ｂ、３１ｄ、３１ｆ、３１ｈのうち、中央に位置する接続端子３１ｆ、３１ｈが、電気信号を検体液センサ２に供給するための端子であり、両端に位置する接続端子３１ｂ、３１ｄが、検体液センサ２から出力される電気信号を受信する端子である。なお、本変形例は、出力端子と供給端子の配置に特に制約がない場合であって、例えば出力端子と供給端子とが隣接するような場合である。配置の制約が無いので、制御部３２と各接続端子とを接続する内部配線の設計自由度が向上する。
【００３９】
上記では、検体液センサ２の第１面２０ａが矩形状である構成を説明したが、本実施形態では、外部端子２２が２回回転対称性を有していれば、第１面２０ａの形状は限定されない。すなわち、外部端子２２の回転対称性と第１面２０ａの形状とは、関連性を有する必要がない。第１面２０ａの形状が回転対称性を有していても、外部端子２２の回転対称性と同じでなくてもよい。図１０は、検体液センサ２の他の変形例を示す外観図である。例えば図１０に示すように、第１面２０ａが正方形状である構成であって、４つの外部端子２２が２回回転対称性を有する構成である。具体的には、第１外部端子２２ａと第４外部端子２２ｄとは、正方形状の第１面２０ａの１つの対角線上に設けられており、第２外部端子２２ｂと第３外部端子２２ｃとは、正方形状の第１面２０ａのもう１つの対角線上に設けられている。第１外部端子２２ａと第４外部端子２２ｄとの距離が、第２外部端子２２ｂと第３外部端子２２ｃとの距離よりも大きくなっている。このような構成であっても、例えば検体液センサ２と同様に、第１外部端子２２ａと第２外部端子２２ｂとが検出部２１ａに電気的に接続されており、第３外部端子２２ｃと第４外部端子２２ｄとが参照部２１ｂに電気的に接続されている。したがって、検体液センサ２の向きが１８０°異なる２つの配置（第２配置）のどちらでも検体液センサ２の外部端子２２とリーダ３の接続端子とが、電気的に接続されるようになっている。これにより、操作の煩わしさが低減され、ユーザは、簡単な操作で測定を行うことができる。
【００４０】
（第２実施形態）
図１１Ａ、図１１Ｂは、検体液センサ５の構成を示す外観図である。図１１Ａは、平面図であり、図１１Ｂは、底面図である。図１２は、第１配置における本発明の第２実施形態に係るセンサ装置４の概略ブロック図を示し、図１３は、第２配置におけるセンサ装置４の概略ブロック図を示す。センサ装置４は、検体液センサ５と、検体液センサ５を着脱可能なリーダ６とを備える。検体液センサ５およびリーダ６は、それぞれ第１実施形態の検体液センサ２およびリーダ３と同様の機能を備える。すなわち、検体液センサ５は、検体液を少なくとも吸引または収容し、リーダ６から供給される電気信号をその検体液の性質または成分に応じて変化させ、変化後の電気信号をリーダ６に出力する。リーダ６は、検体液センサ５に電気信号を供給するとともに、検体液センサ５から出力される電気信号を受け取る。
【００４１】
検体液センサ５は、第１面５０ａを有するセンサ本体５０と、センサ本体５０に位置しているセンサ素子５１と、センサ本体５０の第１面５０ａに位置する複数の外部端子５２とを有する。外部端子５２は、センサ素子５１と電気的に接続されている。リーダ６は、検体液センサ５の第１面５０ａに対向して位置する第２面６０ａを有するリーダ本体６０と、第２面６０ａのうち、複数の外部端子５２のそれぞれに対応する部位に位置している複数の接続端子６１と、複数の接続端子６１と電気的に接続されており電気信号の入出力を行なう制御部６２と、を有する。
【００４２】
本実施形態において、センサ本体５０は、第１実施形態と同様に板状に構成されている。センサ本体５０の厚み方向に直交する平行平面の一方を第１面５０ａとし、他方を第３面５０ｂとする。第１面５０ａには、外部端子５２が位置しており、第３面５０ｂには、検体液の流入口５０ｃおよび検体液を排出する排出口５０ｄが設けられている。検体液が流入口５０ｃからセンサ本体５０に供給されると、センサ本体５０内に位置するセンサ素子５１で検出が行われ、検出が終わった検体液が、排出口５０ｄから排出される。
【００４３】
本実施形態では、複数の外部端子５２は、第１面５０ａにおいて、回転対称性を有するように設けられている。本実施形態では、検体液センサ５が、複数の外部端子として４つの外部端子を有する構成を例として説明するが、外部端子５２の個数は、特定の数に限定されず、センサ素子５１の入出力数などに応じて適宜決定すればよい。
【００４４】
図１２に示す検体液センサ５の一例では、第１面５０ａおよび第３面５０ｂが同じ正方形状である。４つの外部端子５２ａ、５２ｂ、５２ｃ、５２ｄが、対角線上であって四隅に位置しており、各外部端子５２は、正方形状である。なお、外部端子５２の形状は、同じ形状である必要はなく、互いに異なる形状であってもよい。このような４つの外部端子５２ａ、５２ｂ、５２ｃ、５２ｄは、４回回転対称性を有している。本例の検体液センサ５では、４つの外部端子５２ａ、５２ｂ、５２ｃ、５２ｄの各中心を４つの頂点とする正方形の重心が、回転対称性の回転中心ｃ２である。第３外部端子５２ａと第６外部端子５２ｄとが回転中心ｃ２を挟んで対向する位置に設けられる。第４外部端子５２ｂと第５外部端子５２ｃとが、回転中心ｃ２を挟んで対向する位置に設けられている。４つの外部端子５２ａ、５２ｂ、５２ｃ、５２ｄは、４回回転対称性を有しているので、この回転中心ｃ２を基準に９０°回転させるごとに各端子の配置位置が同じとなる。本実施形態では、図１２に示す配置を基準となる第１配置としたとき、図１３に示すような９０°回転させた配置を第２配置とする。また、１８０°回転させた配置を第３配置とし、２７０°回転させた配置を第４配置とする。なお、本実施形態では、リーダ６の４つの接続端子６１も外部端子５２と同様の４回回転対称性を有するように設けられている。
【００４５】
上記のように、第１配置と第２配置とは、検体液センサ５がリーダ６に装着される向きが９０°異なっている。したがって、第１配置において、リーダ６の接続端子６１に電気的に接続する検体液センサ５の外部端子５２と、第２配置において、リーダ６の接続端子６１に電気的に接続する検体液センサ５の外部端子５２とは異なっている。
【００４６】
例えば、図１２に示す第１配置においては、外部端子と接続端子とは、それぞれ以下のように接続する。検体液センサ５の第３外部端子５２ａと、リーダ６の第３接続端子６１ａとが電気的に接続する。検体液センサ５の第４外部端子５２ｂと、リーダ６の第４接続端子６１ｂとが電気的に接続する。検体液センサ５の第５外部端子５２ｃと、リーダ６の第５接続端子６１ｃとが電気的に接続する。検体液センサ５の第６外部端子５２ｄと、リーダ６の第６接続端子６１ｄとが電気的に接続する。
【００４７】
ここで、検体液センサ５の第３外部端子５２ａおよび第４外部端子５２ｂは、センサ素子５１において、検出部５１ａに電気的に接続されている。また、検体液センサ５の第５外部端子５２ｃおよび第６外部端子５２ｄは、センサ素子５１において、参照部５１ｂに電気的に接続されている。第３外部端子５２ａ、第４外部端子５２ｂ、第５外部端子５２ｃおよび第６外部端子５２ｄは、いずれも電気信号が入力する入力端子および電気信号が出力される出力端子の両方の機能を有している。
【００４８】
リーダ６において、制御部６２は、第３接続端子６１ａおよび第６接続端子６１ｄに電気信号を入力して検体液センサ５に電気信号を供給する。また、制御部６２は、検体液センサ５から出力される電気信号（検出信号および参照信号を含む）を、第４接続端子６１ｂおよび第５接続端子６１ｃによって受信する。
【００４９】
図１２に示す第１配置においては、リーダ６の第３接続端子６１ａと検体液センサ５の第３外部端子５２ａとが電気的に接続することで、リーダ６から検体液センサ５の検出部５１ａに電気信号が供給される。リーダ６の第４接続端子６１ｂと検体液センサ５の第４外部端子５２ｂとが電気的に接続することで、検出部５１ａで発生した検出信号がリーダ６で受信される。また、リーダ６の第６接続端子６１ｄと検体液センサ５の第６外部端子５２ｄとが電気的に接続することで、リーダ６から検体液センサ５の参照部５１ｂに電気信号が供給される。リーダ６の第５接続端子６１ｃと検体液センサ５の第５外部端子５２ｃとが電気的に接続することで、参照部５１ｂで発生した参照信号がリーダ６で受信される。リーダ６では、受信した検出信号および参照信号に基づいて被検出物の検出結果を出力する。
【００５０】
図１３に示す第２配置においては、外部端子と接続端子とは、それぞれ以下のように接続する。検体液センサ５の第３外部端子５２ａと、リーダ６の第４接続端子６１ｂとが電気的に接続する。検体液センサ５の第４外部端子５２ｂと、リーダ６の第６接続端子６１ｄとが電気的に接続する。検体液センサ５の第５外部端子５２ｃと、リーダ６の第３接続端子６１ａとが電気的に接続する。検体液センサ５の第６外部端子５２ｄと、リーダ６の第５接続端子６１ｃとが電気的に接続する。
【００５１】
図１３に示す第２配置においては、リーダ６の第３接続端子６１ａと検体液センサ５の第５外部端子５２ｃとが電気的に接続することで、リーダ６から検体液センサ５の参照部５１ｂに電気信号が供給される。リーダ６の第６接続端子６１ｄと検体液センサ５の第４外部端子５２ｂとが電気的に接続することで、検出部５１ａに電気信号が供給される。また、リーダ６の第５接続端子６１ｃと検体液センサ５の第６外部端子５２ｄとが電気的に接続することで、リーダ６では、検体液センサ５の参照部５１ｂで発生した参照信号がリーダ６で受信される。リーダ６の第４接続端子６１ｂと検体液センサ５の第３外部端子５２ａとが電気的に接続することで、検出部５１ａで発生した検出信号がリーダ６で受信される。リーダ６では、受信した検出信号および参照信号に基づいて制御部６２が、被検出物の検出結果を出力する。
【００５２】
本実施形態では、第１配置および第２配置で、検出信号を第４接続端子６１ｂで受信し、参照信号を第５接続端子６１ｃで受信している。制御部６２は、検出結果を出力するに際して、第４接続端子６１ｂで受信した信号が検出信号であるか参照信号であるか、第５接続端子６１ｃで受信した信号が検出信号であるか参照信号であるか、を予め判断する。例えば、本実施形態では、第４接続端子６１ｂで受信した信号および第５接続端子６１ｃで受信した信号のうち、いずれの信号が参照信号であるかを判断する。参照信号を判断できれば、他方の信号が検出信号であると判断することができる。受信した信号が参照信号であるかどうかの判断は、第１実施形態の記載と同様であるので説明は省略する。
【００５３】
本実施形態では、第１配置から１８０°回転させた第３配置、第１配置から２７０°回転させた第４配置であっても、第１配置および第２配置と同様に制御部６２が被検出物の検出結果を出力することができる。したがって、測定を行うために検体液センサ５を、リーダ６に装着する場合、第２実施形態では、検体液センサ５を４つの向き（第１〜第４配置）のいずれの向きに装着してもリーダ６によって検出結果を出力することができる。したがって、操作の煩わしさが低減され、ユーザは、簡単な操作で測定を行うことができる。
【００５４】
（第２実施形態の変形例）
上記では検体液センサ５では、４つの外部端子５２が正方形状の第１面５０ａの対角線上に設けられている構成を説明したが、本実施形態はこれに限定されない。図１４Ａ、図１４Ｂは、検体液センサ５の変形例を示す外観図である。図１４Ａ、図１４Ｂでは、外部端子の配置がわかるように、変形例である検体液センサ５Ａ，５Ｂの第１面５０ａの側の外観のみを図示している。第３面５０ｂについては、図１１に示した検体液センサ５と同じであってもよいが、異なっていてもよい。図１４Ａに示す検体液センサ５Ａでは、４つの外部端子５２ａ、５２ｂ、５２ｃ、５２ｄがそれぞれ、第１面５０ａの各辺の２等分線上であって、各辺からの距離が同じ位置に設けられている。このような位置であっても、第３外部端子５２ａと第６外部端子５２ｄとが回転中心ｃ２を挟んで対向する位置に設けられ、第４外部端子５２ｂと第５外部端子５２ｃとが、回転中心ｃ２を挟んで対向する位置に設けられている点では検体液センサ５と同様である。
【００５５】
図１４Ｂに示す検体液センサ５Ｂでは、４つの外部端子５２ａ、５２ｂ、５２ｃ、５２ｄがそれぞれ、第１面５０ａの各辺の中心よりも各辺を挟む二角のうち一方側の角寄りにあって、各辺からの距離が同じ位置に設けられている。このような位置であっても、第３外部端子５２ａと第６外部端子５２ｄとが回転中心ｃ２を挟んで対向する位置に設けられ、第４外部端子５２ｂと第５外部端子５２ｃとが、回転中心ｃ２を挟んで対向する位置に設けられている点では検体液センサ５と同様である。検体液センサ５、５Ａ、５Ｂのように、外部端子５２が４回回転対称性を有するように配置されていることで、第１面５０ａの形状、第１面５０ａ内における配置に関係なくユーザは、第１配置〜第４配置のいずれの配置であっても測定を行うことができる。したがって、操作の煩わしさが低減され、ユーザは、簡単な操作で測定を行うことができる。
【００５６】
図１５は、検体液センサ５の変形例を示す外観図である。図１５Ａは、平面図であり、図１５Ｂは、底面図である。図１６は、リーダ６の変形例を示す概略図である。本変形例の検体液センサ５Ｃは、第１面５０ａに８つの外部端子５２が設けられている。８つの外部端子５２は、第１面５０ａの四辺に沿って設けられており、四隅に設けられた４つの外部端子５２ａ、５２ｂ、５２ｃ、５２ｄと、第１面５０ａの各辺の２等分線上であって、各辺からの距離が同じ位置に設けられた４つの外部端子５２ｅ、５２ｆ、５２ｇ、５２ｈとを含む。このような８つの外部端子５２は、４回回転対称性を有している。
【００５７】
本変形例のリーダ６Ａは、第２面６０ａに検体液センサ５Ｃの８つの外部端子５２に応じた８つの接続端子６１が設けられている。すなわち、四隅に設けられた４つの接続端子６１ａ、６１ｂ、６１ｃ、６１ｄと、第２面６０ａの各辺の２等分線上であって、各辺からの距離が同じ位置に設けられた４つの接続端子６１ｅ、６１ｆ、６１ｇ、６１ｈとを含む。四隅に設けられた４つの接続端子６１ａ、６１ｂ、６１ｃ、６１ｄのうち、接続端子６１ａ、６１ｄが一方の対角線上に設けられ、接続端子６１ｂ、６１ｃが他方の対角線上に設けられている。例えば一方の対角線上に設けられた接続端子６１ａ、６１ｄが電気信号を検体液センサ２に供給するための端子であり、他方の対角線上に設けられた接続端子６１ｂ、６１ｃが、検体液センサ２から出力される電気信号（検出信号および参照信号を含む）を受信する端子である。また、４つの接続端子６１ｅ、６１ｆ、６１ｇ、６１ｈのうち、回転中心ｃ２を挟んで対向する２つの接続端子６１ｅ、６１ｈが、電気信号を検体液センサ２に供給するための端子であり、回転中心ｃ２を挟んで対向する他の２つの接続端子６１ｆ、６１ｇが、検体液センサ２から出力される電気信号を受信する端子である８つの接続端子６１を４つの供給端子と４つの受信端子として見たとき、供給端子と受信端子とは、回転中心ｃ２を基準として回転対称な位置に設けられている。検体液センサ５、５Ａ、５Ｂ、５Ｃのように、外部端子５２が４回回転対称性を有するように配置されていることで、端子数に関係なくユーザは、第１配置〜第４配置のいずれの配置であっても測定を行うことができる。したがって、操作の煩わしさが低減され、ユーザは、簡単な操作で測定を行うことができる。
【００５８】
（第３実施形態）
図１７は、本発明の第３実施形態に係るセンサ装置８の構成を示す概略図である。図１８Ａ、図１８Ｂは、検体液センサ９の構成を示す外観図である。図１８Ａは、平面図であり、図１８Ｂは、底面図である。センサ装置８は、検体液センサ９と、検体液センサ９を着脱可能なリーダ１０とを備える。検体液センサ９およびリーダ１０は、それぞれ第１実施形態の検体液センサ２およびリーダ３と同様の機能を備える。すなわち、検体液センサ９は、検体液を少なくとも吸引または収容し、リーダ１０から供給される電気信号をその検体液の性質または成分に応じて変化させ、変化後の電気信号をリーダ１０に出力する。リーダ１０は、検体液センサ９に電気信号を供給するとともに、検体液センサ９から出力される電気信号を受け取る。
【００５９】
検体液センサ９は、第１面９０ａを有するセンサ本体９０と、センサ本体９０に位置しているセンサ素子９１と、センサ本体９０の第１面９０ａに位置する複数の外部端子９２とを有する。外部端子９２は、センサ素子９１と電気的に接続されている。リーダ１０は、検体液センサ９の第１面９０ａに対向して位置する第２面１００ａを有するリーダ本体１００と、第２面１００ａのうち、複数の外部端子９２のそれぞれに対応する部位に位置している複数の接続端子１０１と、複数の接続端子１０１と電気的に接続されており電気信号の入出力を行なう制御部１０２と、を有する。
【００６０】
本実施形態において、センサ本体９０は、第１実施形態と同様に板状に構成されている。センサ本体９０の厚み方向に直交する平行平面の一方を円形状の第１面９０ａとし、他方を円形状の第３面９０ｂとする。第１面９０ａには、外部端子９２が位置しており、第３面９０ｂには、検体液の流入口９０ｃおよび検体液を排出する排出口９０ｄが設けられている。検体液が流入口９０ｃからセンサ本体９０に供給されると、センサ本体９０内に位置するセンサ素子９１で検出が行われ、検出が終わった検体液が、排出口９０ｄから排出される。本実施形態のリーダ１０は、検体液センサ９の第１面９０ａに対向する第２面１００ａが、第１面９０ａと同じ円形状であり、リーダ本体１００の表面に設けられた凹所の底面を構成している。凹所の内周面１００ｂは、底面である第２面１００ａの外周に沿って、第２面１００ａからほぼ垂直に立ちあがり、凹所の開口が、第２面１００ａと同じ円形状となっている。
【００６１】
本実施形態では、複数の外部端子９２は、第１面９０ａにおいて、回転対称性を有するように設けられている。本実施形態では、検体液センサ９が、複数の外部端子として４つの外部端子を有する構成を例として説明するが、外部端子９２の個数は、特定の数に限定されず、センサ素子９１の入出力数などに応じて適宜決定すればよい。
【００６２】
図１７に示す検体液センサ９の一例では、第１面９０ａおよび第３面９０ｂが同じ円形状であり、４つの外部端子９２ａ、９２ｂ、９２ｃ、９２ｄが、第１面９０ａの中心ｃ３を中心とする同心円環状に設けられている。本実施形態では、各円環の幅寸法および各円環同士の間隔（ギャップ）を同じとしているが、互いに異なる幅および間隔であってもよい。円環状の複数の外部端子９２同士において、例えば、電気抵抗値、電気長などの電気特性が同様の特性となるように、円環の幅および円環間の間隔などを適宜変更するようにしてもよい。このような同心円環状の外部端子９２は、ｎ回回転対称性（ｎは、任意の整数）を有している。回転中心ｃ３は、同心円環の中心に一致する。本実施形態において、基準となる第１配置を設定したとき、検体液センサ９を、回転中心ｃ３を基準に回転させれば、どのような回転角度でも第２配置となり得る。すなわち、第１配置以外の配置は全て第２配置となり得る。なお、本実施形態において、第７外部端子９２ａが最も半径の大きな円環であり、第８外部端子９２ｂが、２番目に半径の大きな円環であり、第９外部端子９２ｃが、３番目に半径の大きな円環であり、第１０外部端子９２ｄが、４番目に半径の大きな（半径の最も小さな）円環である。
【００６３】
リーダ１０の４つの接続端子１０１は、回転対称性を有していなくともよい。本実施形態であれば、第２面１００ａの中心ｃ４からの距離が、４つの同心円環状の外部端子９２ａ、９２ｂ、９２ｃ、９２ｄの各半径と同じであれば、任意の位置に４つの接続端子１０１を配置することができる。図１９は、本発明の第３実施形態に係るセンサ装置８の概略ブロック図を示す。例えば、図１９に示す例では、外部端子と接続端子とは、それぞれ以下のように接続する。検体液センサ９の第７外部端子９２ａと、リーダ１０の第７接続端子１０１ａとが電気的に接続する。検体液センサ９の第８外部端子９２ｂと、リーダ１０の第８接続端子１０１ｂとが電気的に接続する。検体液センサ９の第９外部端子９２ｃと、リーダ１０の第９接続端子１０１ｃとが電気的に接続する。検体液センサ９の第１０外部端子９２ｄと、リーダ１０の第１０接続端子１０１ｄとが電気的に接続する。
【００６４】
測定の際に、ユーザが、検体液センサ９をリーダ１０に装着させようとしたとき、ユーザは、検体液センサ９がどのような回転角度となる配置であっても測定を行うことができる。したがって、検体液センサ２の配置を、ただ１つの正しい向きとなるように配置しないと測定できないというような操作の煩わしさが低減されるので、ユーザは、検体液センサ９の向きを気にせず簡単な操作で測定を行うことができる。さらに、外形状が円形状の検体液センサ９の第１面９０ａをリーダ１０の第２面１００ａに載置しようとすると、検体液センサ９は、外形状が円形状の開口に案内される。これにより、第１面９０ａの４つの外部端子９２ａ、９２ｂ、９２ｃ、９２ｄと、第２面１００ａの４つの接続端子１０１ａ、１０１ｂ、１０１ｃ、１０１ｄとは、それぞれが当接し、確実に電気的な接続を行うことができる。リーダ１０本体に検体液センサ９の案内部である凹所が設けられていることにより、ユーザは、検体液センサ９の向きだけでなく端子の位置も気にせず、さらに簡単な操作で測定を行うことができる。
【００６５】
ここで、検体液センサ９の第７外部端子９２ａおよび第８外部端子９２ｂは、センサ素子９１において、検出部に電気的に接続されている。また、検体液センサ９の第９外部端子９２ｃおよび第１０外部端子９２ｄは、センサ素子９１において、参照部に電気的に接続されている。
【００６６】
本実施形態では、リーダ１０の４つの接続端子１０１は、半径方向に一直線上に並ぶように設けられている。リーダ１０において、制御部１０２は、第７接続端子１０１ａおよび第９接続端子１０１ｃに電気信号を入力して検体液センサ９に電気信号を供給する。また、制御部１０２は、検体液センサ９から出力される電気信号（検出信号および参照信号を含む）を、第８接続端子１０１ｂおよび第１０接続端子１０１ｄによって受信する。
【００６７】
リーダ１０の第７接続端子１０１ａと検体液センサ９の第７外部端子９２ａとが電気的に接続することで、リーダ１０から検体液センサ９の検出部に電気信号が供給される。リーダ１０の第８接続端子１０１ｂと検体液センサ９の第８外部端子９２ｂとが電気的に接続することで、検出部で発生した検出信号がリーダ１０で受信される。また、リーダ１０の第９接続端子１０１ｃと検体液センサ９の第９外部端子９２ｃとが電気的に接続することで、リーダ１０から検体液センサ９の参照部に電気信号が供給される。リーダ１０の第１０接続端子１０１ｄと検体液センサ９の第１０外部端子９２ｄとが電気的に接続することで、参照部で発生した参照信号がリーダ１０で受信される。リーダ１０では、受信した検出信号および参照信号に基づいて被検出物の検出結果を出力する。
【００６８】
本実施形態では、検体液センサ９を、回転中心ｃ３を基準に任意の回転角度で回転させてもリーダ１０の接続端子１０１に、検体液センサ９の外部端子９２が常に当接状態となる。これにより、ユーザは、単に検体液センサ９をリーダ１０に装着するだけで、検体液センサ９の向き（配置）がどのような向きであっても測定することができる。リーダ１０の接続端子１０１の配置は、第２面１００ａの中心ｃ４からの距離が、４つの外部端子９２の各半径と同じであればどのように配置しても４つの外部端子９２と当接し、電気的接続を確保することができる。
【００６９】
（第３実施形態の変形例）
上記では検体液センサ９について、外部端子が４個である構成を説明したが、本実施形態はこれに限定されない。外部端子の数は、６個であっても、８個であってもよく、それ以上であってもよい。外部端子の数を増加させることにより、検出部および参照部を複数備えることができる。
【００７０】
上記では、リーダ１０の接続端子１０１が半径方向に一直線上に並ぶように設けられている構成を説明したが、接続端子１０１は、同心円環状の外部端子９２に電気的に接続すればよいので、接続端子１０１は、４つの同心円上にそれぞれ位置すればよい。例えば、図２０に示すセンサ装置８Ａの概略ブロック図のように、リーダ１０Ａに設けられる第７接続端子１０１ａ、第８接続端子１０１ｂ、第９接続端子１０１ｃ、第１０接続端子１０１ｄがそれぞれ四方に分散して設けられた構成であってもよい。
【００７１】
さらに、図２１に示すセンサ装置８Ｂの概略ブロック図のように、リーダ１０Ｂに設けられる第７接続端子１０１ａ、第８接続端子１０１ｂ、第９接続端子１０１ｃ、第１０接続端子１０１ｄのうち、電気信号を検体液センサ９に出力する接続端子である第７接続端子１０１ａおよび第９接続端子１０１ｃと、電気信号が検体液センサ９から入力される接続端子である第８接続端子１０１ｂおよび第１０接続端子１０１ｄとを互いに対向する位置に配置する構成であってもよい。このような配置とすることで、電気信号を出力する接続端子と電気信号が入力される接続端子との距離が十分に離隔されて、出力する電気信号と入力される電気信号との間での電磁的な干渉を低減することができる。
【００７２】
本実施形態における同心円環状の外部端子９２は、途切れの無い閉じた円環である必要は無く、一部に途切れがある開いた円環であるものも同心円環状の外部端子９２に含まれる。図２２に示すセンサ装置８Ｃの概略ブロック図のように、最も半径の大きな円環である第７外部端子９２ｅおよび２番目に半径の大きな円環である第８外部端子９２ｆは、ぞれぞれ一箇所が途切れた開いた円環となっている。なお、第９外部端子９２ｃおよび第１０外部端子９２ｄは、途切れが無い閉じた円環である。外部端子９２に途切れがある場合であっても、途切れた部分の幅よりリーダ１０の接続端子１０１の幅が大きければよい。途切れがある第７外部端子９２ｅに対応する第７接続端子１０１ｅの幅が、第７外部端子９２ｅの途切れた部分の幅より大きく、途切れがある第８外部端子９２ｆに対応する第８接続端子１０１ｆの幅が、第８外部端子９２ｆの途切れた部分の幅より大きければよい。そうすることで、検体液センサ９を、任意の回転角度で回転させてもリーダ１０の接続端子１０１に、検体液センサ９の外部端子９２が常に当接状態となり、外部端子９２と接続端子１０１との電気的接続を確保することができる。
【００７３】
図２２に示す構成では、複数の外部端子９２に、途切れがある外部端子９２と途切れが無い外部端子９２とが含まれているが、全ての外部端子９２に途切れがあってもよい。この場合、全ての接続端子１０１が、外部端子９２の途切れた部分の幅より大きな幅を有していればよい。また、外部端子９２ごとの途切れた部分の幅は、同じ幅であってもよく、異なる幅であってもよい。さらに、１つの円環状の外部端子９２において、途切れた部分が複数有ってもよい。複数の途切れた部分の幅は、同じ幅であってもよく、異なる幅であってもよい。複数の外部端子９２において、途切れた部分の幅、途切れた部分の数などを異ならせることによって、複数の外部端子９２の電気特性が同様の特性となるようにしてもよい。
【００７４】
（第４実施形態）
図２３Ａ、図２３Ｂは、本発明の第４実施形態に係るセンサ装置１Ａの概略ブロック図を示す。図２３Ａは、第１配置を示し、図２３Ｂは、第２配置を示す。本実施形態は、第１実施形態の変形例でもある。本実施形態では、検体液センサとして図８Ａに示した検体液センサ２Ａと同じ外部端子２２の配置構成を用いる。ここで第１実施形態と異なるのは、検出部２１ａの一方側に第１外部端子２２ａと外部端子２２ｅとが接続されている点である。検出部２１ａと第１外部端子２２ａおよび外部端子２２ｅとは、分岐配線によって接続されている。また、同様に、検出部２１ａの他方側に第２外部端子２２ｂと外部端子２２ｆとが接続され、参照部２１ｂの一方側に第３外部端子２２ｃと外部端子２２ｇとが接続され、参照部２１ｂの他方側に第４外部端子２２ｄと外部端子２２ｈとが接続されている。
【００７５】
ここで、検体液センサ２Ａの外部端子２２は、上記のように８個であるのに対して、リーダ３の接続端子３１は４個である。また、接続端子３１ａ、３１ｂ、３１ｃ、３１ｄの位置は、回転対称性を有していない。従って、図２３Ａに示すように、第１配置において、検体液センサ２Ａの８個の外部端子２２のうち、一部の外部端子である４個の外部端子２２ａ、２２ｃ、２２ｆ、２２ｈのみが接続端子３１ａ、３１ｂ、３１ｃ、３１ｄと電気的に接続し、残りの４個はオープン状態となる。また図２３Ｂに示すように、第２配置において、検体液センサ２Ａの８個の外部端子２２のうち、第１配置では接続端子３１ａ、３１ｂ、３１ｃ、３１ｄに接続しなかった４個の外部端子２２ｂ、２２ｄ、２２ｅ、２２ｇのみが接続端子３１ａ、３１ｂ、３１ｃ、３１ｄと電気的に接続し、第１配置で接続端子３１に接続した残りの４個はオープン状態となる。第１配置で接続端子３１ａ、３１ｂ、３１ｃ、３１ｄと接続する４個の外部端子２２ａ、２２ｃ、２２ｆ、２２ｈは、外部端子２２ａ、２２ｃが外側２つに設けられた端子であり、外部端子２２ｆ、２２ｈは、内側２つに設けられた端子である。また、第２配置で接続端子３１ａ、３１ｂ、３１ｃ、３１ｄと接続する４個の外部端子２２ｂ、２２ｄ、２２ｅ、２２ｇは、外部端子２２ｂ、２２ｄが外側２つに設けられた端子であり、外部端子２２ｅ、２２ｇは、内側２つに設けられた端子である。第１配置または第２配置で接続端子３１ａ、３１ｂ、３１ｃ、３１ｄと接続するそれぞれ４個の外部端子２２は、接続端子３１の配置と同様に回転対称性を有していないが、検体液センサ２Ａが備える８個の外部端子２２は回転対称性を有していることになる。このような構成であっても、第１配置で検体液センサ２Ａをリーダ３に装着したときに測定することができ、第２配置で検体液センサ２Ａをリーダ３に装着したときにも測定することが可能である。このように、接続端子３１と接続する外部端子２２にのみ着目すると回転対称性を有していなくとも、外部端子２２が全体として回転対称性を有するように配置されていれば、ユーザは、第１配置であっても第２配置であっても測定を行うことができる。したがって、操作の煩わしさが低減され、ユーザは、簡単な操作で測定を行うことができる。
【００７６】
（第５実施形態）
図２４は、本発明の第５実施形態に係る検出方法を示す工程図である。第５実施形態は、上記のようなセンサ装置１、４、８によって実行される被検出物の検出方法である。以下ではセンサ装置１を例として説明するが他のセンサ装置でも同様である。
【００７７】
ステップｓ１（第１工程）では、検体液センサ２の第１面２０ａを、リーダ３の第２面３０ａに装着する。接続端子３１と、接続端子３１に対応する外部端子２２との、少なくとも一方が回転対称性を有するように位置しており、ステップｓ２（第２工程）では、接続端子３１と外部端子２２とが複数の向きであっても電気的に接続された状態で、センサ素子２１に電気信号を供給する。
【００７８】
ステップｓ３（第３工程）では、供給された電気信号に応じてセンサ素子２１で発生した検出信号が、外部端子２２を介して接続端子３１に入力される。ステップｓ４（第４工程）では、入力された検出信号に基づいてリーダ３が、検出結果を出力する。
【００７９】
ユーザは、第１工程において、検体液センサ２を複数の向きに装着してもその後の工程において、検体液センサ２とリーダ３との電気的接続が確保されているので、容易かつ確実に測定を行うことができる。
【００８０】
本実施形態に係る検出方法において、第２工程〜第４工程を継続的に実行する間に体液センサ２のセンサ素子２１に、測定対象となる検体液を供給することによって、検出結果の時間的な変化を継続的にモニターするようにしてもよい。本実施形態では、例えば、ステップｓ１（第１工程）とステップｓ２（第２工程）との間にステップｓＡとして検体液を供給する。その他、ステップｓ１（第１工程）の前に予め検体液を供給しておいてもよく、ステップｓ２（第２工程）とステップｓ３（第３工程）との間に検体液を供給してもよく、ステップｓ３（第３工程）とステップｓ４（第４工程）との間に検体液を供給してもよく、ステップｓ４（第４工程）の後に検体液を供給してもよい。
【００８１】
上記のように、第１配置と第２配置とで検体液センサ２の参照部が、リーダの異なる接続端子３１に接続される。このような場合、第３工程では、供給された電気信号に応じてセンサ素子２１で発生した参照信号が、さらに接続端子３１に入力される。第３工程と第４工程との間に、接続端子３１に入力された電気信号のうち、いずれが検出信号であるか、または参照信号であるかを判断する工程をさらに備える。第４工程では、いずれが検出信号であるか、または参照信号であるかの判断結果に基づいて、検出結果を出力する。
【００８２】
以上、本発明に係るいくつかの実施形態（およびそれらの変形例）について説明したが、本発明はこれらの実施形態に限定されるものではなく、特許請求の範囲に記載の範囲内において、種々の改善や変更が可能である。例えば、上述の実施形態の各構成要素・工程を適宜組み合わせて、センサ装置、検出方法を構成してもよい。
【００８３】
（その他の変形例）
上述の実施形態において、検体液センサとして検出部および参照部をそれぞれ１つずつ有するものを用いて説明したが、これに代えて、検体液センサは検出部および参照部の少なくとも一方を２つ以上有してもよい。例えば、図２５に示す検体液センサ２Ｄの概略ブロック図のように、検体液センサの外部端子２２が８端子であり、外部端子２２ａおよび外部端子２２ｂが、検出部２１ａに接続されており、外部端子２２ｃおよび外部端子２２ｄが、参照部２１ｂに接続されているのに加えて、さらに、外部端子２２ｅおよび外部端子２２ｆが、検出部２１ｃに接続されており、外部端子２２ｇおよび外部端子２２ｈが、検出部２１ｄに接続されている。本実施形態では、３つの検出部と１つの参照部とを有する構成である。このような構成は、８個の外部端子２２が、２回回転対称性を有しているので、第１実施形態と同様に、向きが１８０°異なる第１配置および第２配置のいずれであっても測定することが可能である。
【００８４】
また、上述の実施形態において、複数の外部端子および複数の接続端子の少なくとも一方が回転対称性を有する場合について説明したが、これに代えて、複数の外部端子および複数の接続端子の両方が回転対称性を有するような構成にしてもよい。
【００８５】
また、外部端子が同心円環状である第３実施形態以外の実施形態では、検出結果を出力するに際し、検体液センサから出力される信号のうち参照信号を判断する構成について説明したが、これに限らず、検出信号を判断する構成であってもよい。
【００８６】
また、検体液センサの外部端子と、リーダの接続端子とを電気的に接続する位置決めのために、上述の実施形態では、検体液センサの案内部としてリーダ本体に凹所を設けていたが、これに限らず、検体液センサの外形に沿ってリーダ本体表面から突出する複数の突起を設け、これを案内部としてもよい。第３実施形態のように検体液センサのセンサ本体が円板状である場合は、リーダ本体の円環状電極の中心とセンサ本体の円形状の第１面の中心に、一方にピンを設け他方に孔を設け、これらを案内部としてもよい。
【００８７】
検体液センサの外部端子と、リーダの接続端子とは、上記のように位置決めされていれば、検体液センサをリーダに載置するだけで、電気的に接続することが可能である。しかしながら、測定環境は、様々であるので、一旦載置した検体液センサが、振動などで浮き上がったり、位置ずれが生じて、電気的接続が切断されるおそれがある。より確実に電気的接続を確保するために、リーダ本体の凹所に載置された検体液センサを覆うような蓋体が開閉自在に備えられていてもよく、載置された検体液センサを押さえつけるようなレバー部材が回転自在に設けられていてもよい。また、同様の目的で、載置された検体液センサを側方から挟持して保持する、検体液センサの第１面に設けられた突起を押さえて保持する保持部材を備えていてもよい。
【符号の説明】
【００８８】
１、４、８      センサ装置
２、２Ａ、２Ｂ、５、５Ａ、５Ｂ、９      検体液センサ
３、６、１０      リーダ
７ａ    金属膜
７ｂ    金属膜
１１、１３、１３Ａ    第１ＩＤＴ電極
１２、１４、１４Ａ    第２ＩＤＴ電極
１５    第１引き出し電極
１６    第２引き出し電極
２０、５０、９０    センサ本体
２０ａ、５０ａ、９０ａ  第１面
２０ｂ、５０ｂ、９０ｂ  第３面
２０ｃ、５０ｃ、９０ｃ  流入口
２０ｄ、５０ｄ、９０ｄ  排出口
２１、２１Ａ、５１、９１    センサ素子
２１ａ、５１ａ  検出部
２１ｂ、５１ｂ  参照部
２２、２２ｅ、２２ｆ、２２ｇ、２２ｈ、２２ｉ、２２ｊ    外部端子
２２ａ  第１外部端子
２２ｂ  第２外部端子
２２ｃ  第３外部端子
２２ｄ  第４外部端子
３０、６０、１００    リーダ本体
３０ａ、６０ａ、１００ａ  第２面
３０ｂ、１００ｂ  内周面
３１    接続端子
３１ａ  第１接続端子
３１ｂ  第２接続端子
３１ｃ  第３接続端子
３１ｄ  第４接続端子
３２、６２、１０２    制御部
５２    外部端子
５２ａ  第３外部端子
５２ｂ  第４外部端子
５２ｃ  第５外部端子
５２ｄ  第６外部端子
６１    接続端子
６１ａ  第３接続端子
６１ｂ  第４接続端子
６１ｃ  第５接続端子
６１ｄ  第６接続端子
９２    外部端子
９２ａ  第３外部端子
９２ｂ  第４外部端子
９２ｃ  第５外部端子
９２ｄ  第６外部端子
１０１  接続端子
１０１ａ  第３接続端子
１０１ｂ  第４接続端子
１０１ｃ  第５接続端子
１０１ｄ  第６接続端子
２２０  第１外部端子群
２２１  第２外部端子群
３１０  第１接続端子群
３１１  第２接続端子群
【図１】
0006738428.tif 000002
【図２Ａ】
0006738428.tif 000003
【図２Ｂ】
0006738428.tif 000004
【図３】
0006738428.tif 000005
【図４】
0006738428.tif 000006
【図５】
0006738428.tif 000007
【図６】
0006738428.tif 000008
【図７】
0006738428.tif 000009
【図８Ａ】
0006738428.tif 000010
【図８Ｂ】
0006738428.tif 000011
【図９Ａ】
0006738428.tif 000012
【図９Ｂ】
0006738428.tif 000013
【図１０】
0006738428.tif 000014
【図１１Ａ】
0006738428.tif 000015
【図１１Ｂ】
0006738428.tif 000016
【図１２】
0006738428.tif 000017
【図１３】
0006738428.tif 000018
【図１４Ａ】
0006738428.tif 000019
【図１４Ｂ】
0006738428.tif 000020
【図１５Ａ】
0006738428.tif 000021
【図１５Ｂ】
0006738428.tif 000022
【図１６】
0006738428.tif 000023
【図１７】
0006738428.tif 000024
【図１８Ａ】
0006738428.tif 000025
【図１８Ｂ】
0006738428.tif 000026
【図１９】
0006738428.tif 000027
【図２０】
0006738428.tif 000028
【図２１】
0006738428.tif 000029
【図２２】
0006738428.tif 000030
【図２３Ａ】
0006738428.tif 000031
【図２３Ｂ】
0006738428.tif 000032
【図２４】
0006738428.tif 000033
【図２５】
0006738428.tif 000034